(57)【要約】【課題】挿入式家具用連結装置を提供する。【解決手段】外部品１０と内部品２０とからなり、前記外部品は、連結面の断面形状が溝穴１１をなし、前記溝穴１１の上端には挿入口１２を有し、且つ、前記溝穴両側面は上部が広く、下部が狭いテーパ状になっており、前記内部品２０は、両側面に前記溝穴１１に嵌合する嵌入部２１を有し、前記嵌入部２１と頚部２２の両側面は上部が広く、下部が狭いテーパ状になっており、該テーパは、前記外部品の前記溝穴と係合する傾斜面を備え、前記内部品の前記嵌入部が前記外部品の前記溝穴の前記挿入口から差し込まれて一体に結合され、前記嵌入部と前記溝穴のテーパの楔係合により、前記内，外部品が緊密に結合されるようにした。従って、内外部品の楔係合部は差し込み方向からの外力作用を受けるので、使用時間が長いほど緊密度は高くなり、従来公知のスクリュー締結構造のように、連結部に緩みが生じることがない。【選択図】図４
0003107195.tif 000002
【実用新案登録請求の範囲】
【請求項１】
挿入式家具用連結装置であって、外部品と内部品とからなり、前記外部品は、連結面の断面形状が溝穴をなし、前記溝穴の上端には挿入口を有し、且つ、前記溝穴両側面は上部が広く、下部が狭いテーパ状になっており、
前記内部品は、両側面に前記溝穴に嵌合する嵌入部を有し、前記嵌入部と頚部の両側面は上部が広く、下部が狭いテーパ状になっており、そのテーパは、前記外部品の前記溝穴と係合する傾斜面を備え、
前記内部品の前記嵌入部が前記外部品の前記溝穴の前記挿入口から差し込まれて一体に結合され、前記嵌入部と前記溝穴のテーパの係合により、前記内，外部品が緊密に結合されるようにしたことを特徴とする挿入式家具用連結装置。
【請求項２】
前記内，外部品上に、それぞれ、漏斗状の栓孔を形成し、ボルトを通過させて、被連結部材の相対位置に固定することを特徴とする請求項１に記載の挿入式家具用連結装置。
【請求項３】
前記外部品の前記溝穴は、凸片内縁及び相対する側がテーパ状に形成されており、前記内部品の前記嵌入部内側となる頚部の両側斜面も相対するテーパ状をなし、前記凸片が前記頚部間に係合することにより、前記内，外部品が互いに緊密に結合されることを特徴とする請求項１に記載の挿入式家具用連結装置。
【考案の詳細な説明】
【技術分野】
【０００１】
本考案は、挿入式家具用連結装置に関するものであって、特に、机、椅子、ベッド、棚等の家具等の被連結部材に応用し、内、外部品を利用した連結構造により、嵌合連結方式で連結を完成し、従来のスクリュー締結構造に比べて、取り外しが容易で、緊密な連結が達成される挿入式家具用連結装置に関するものである。
【背景技術】
【０００２】
現在の組み立て式家具は、被連結部材との連結部間が、ボルト及びボルト挿入孔を介して連結されるか、或いは、ボルトを貫通してナットにより締め付けするなどの方式により互いの部品を結合している。このような構造は簡単であるが、以下のような欠点がある。
（１）  組み立て作業上、ドライバ、スパナ等の専用の工具を必要とする。
（２）  連結する部品間は、ボルトのみにより固定するので、強度が明らかに不足し、一定期間後、連結部に緩みなどの不具合を生じる。
（３）  組み立て、取り外しには、専用の工具を必要とし、作業に時間がかかり、作業効率が悪い。
【考案の開示】
【考案が解決しようとする課題】
【０００３】
本考案は、取り付けのための専用工具を一切必要とせず、簡単な嵌合連結方式で家具の各連結部材間の連結を完成し、緊密な連結を達成する挿入式家具用連結装置を提供することを目的とする。
本考案は、外部品と内部品の構造形態により、嵌合連結組み立て時、緊密な結合効果が得られ、また、外力作用を受けて、外力が大きいほど、使用時間が長いほど、緊密度が高くなり、従来公知のスクリュー締結構造のように、締め付け結合部に緩みが生じることがない挿入式家具用連結装置を提供することをもう一つの目的とする。
【課題を解決するための手段】
【０００４】
上述の目的を達成するため、本考案の挿入式家具用連結装置に係る請求項１の考案は、外部品と内部品とからなり、前記外部品は、連結面の断面形状が溝穴をなし、前記溝穴の上端には挿入口を有し、且つ、前記溝穴両側面は上部が広く、下部が狭いテーパ状になっており、前記内部品は、両側面に前記溝穴に嵌合する嵌入部を有し、前記嵌入部と頚部の両側面は上部が広く、下部が狭いテーパ状になっており、そのテーパは、前記外部品の前記溝穴と係合する傾斜面を備え、前記内部品の前記嵌入部が前記外部品の前記溝穴の前記挿入口から差し込まれて一体に結合され、前記嵌入部と前記溝穴のテーパの係合により、前記内，外部品が緊密に結合されるようにしたことを特徴とする。
【０００５】
請求項２の考案は、請求項１に記載の挿入式家具用連結装置において、前記内，外部品上に、それぞれ、漏斗状の栓孔を形成し、ボルトを通過させて、被連結部材の相対位置に固定することを特徴とする。
【０００６】
請求項３の考案は、請求項１に記載の挿入式家具用連結装置において、前記外部品の前記溝穴は、凸片内縁及び相対する側がテーパ状に形成されており、前記内部品の前記嵌入部内側となる頚部の両側斜面も相対するテーパ状をなし、前記凸片が前記頚部間に係合することにより、前記内，外部品が互いに緊密に結合されることを特徴とする。
【考案の効果】
【０００７】
本考案の挿入式家具用連結装置は、巧みな構造設計により、専用の工具を必要とせず、家具等の被連結部材との連結を完成し、操作が便利で、且つ、連接する部品間は、安定した緊密度が得られ、従来の組み立て式家具のスクリュー締結構造の欠点を解決し、好ましい産業利用価値を達成することができる。
【考案を実施するための最良の形態】
【０００８】
本考案は、挿入式家具用連結装置を提供し、主に、机、椅子、ベッド、棚等の家具の各被連結部材に応用する連結装置であって、内、外部品の構造により、嵌合連結方式で連結し、緊密な連結が達成されるようにしたものである。
以下、添付図面を参照して本考案の好適な実施の形態を詳細に説明する。
【実施例】
【０００９】
まず、図１〜図３を参照して本考案の挿入式家具用連結装置に係る実施例を説明する。
本考案は、図１に示すように全体が内部中空の立方体状の外部品１０と、図２に示すような内部品２０とから構成される。
【００１０】
前記外部品１０は、連結面の断面が溝穴形状をなし、前記溝穴１１の上端には挿入口１２を有し、且つ、前記溝穴１１両側面は上部が広く、下部が狭いテーパ状になっており、前記溝穴１１は、連結面の両端に、間隔を隔てて設置された凸片１４を有し、その内縁は、テーパ状の二つの傾斜面１５、１６が形成されている。
また、外部品１０の被連結部材への固定側面となる前記凸片１４に相対する部分には、中空の孔１７を設け、部品の重量を減らし、材料を節約している。また、数個の漏斗状の栓孔１８を形成し、ボルトを通過させて、前記外部品１０被連結部材の一方に固定するようにしている。
【００１１】
前記内部品２０は、両側面に前記溝穴１１に嵌合する嵌入部２１と、前記外部品１０の凸片１４が係合する頚部２２とを有している。前記嵌入部２１と頚部２２の両側面は上部が広く、下部が狭いテーパ状になっており、そのテーパは、前記外部品１０の前記溝穴１１と楔係合する傾斜面を備えている。また内部品２０にも中空の孔２５を設け、重量を減らし、材料を節約している。
また、数個の漏斗状の栓孔２６を形成し、ボルトを通過させて、他方の被連結部材に固定するようにしている。
【００１２】
前記のように構成された外部品１０と内部品２０は、外部品１０を一方の被連結部材に固定し、かつ内部品を他方の被連結部材にそれぞれ固定し、内部品２０の嵌入部２１が外部品１０の溝穴１１の挿入口１２から、差し込まれて一体に結合され、嵌入部２１と溝穴１１のテーパの楔係合により、外部品１０と内部品２０とが緊密に結合されるようにしたものである。
【００１３】
次に、図４、図５及び図６を参照して本考案の使用状態を説明する。
図４は本考案の外部品１０と内部品２０を夫々椅子の脚３０と座板４０等の被連結部材に固定した状態を示すもので、前記外部品１０は、ボルト３１により、脚３０の連結部位に固定され、内部品２０は、皿ボルト４１により、座板４０の相対する連結位置に固定される。この場合、漏斗状の栓孔１８，２６を利用して、ボルト３１、４１を連結面に突出させないようにする。
【００１４】
その後、座板４０の内部品２０は、図５に示すように、上方から脚３０の外部品１０の上方開口から溝穴１１内に挿入する。  内部品２０の嵌入部２１は、外部品１０の溝穴１１の挿入口１２から差し込まれた後、図６に示すように、外部品１０の凸片１４が、外部品２０の頚部２２に間に嵌合し、嵌入部２１及び溝穴１１のテーパにより、外部品１０と内部品２０が緊密に楔結合される。
【００１５】
前記外部品１０と内部品２０の連結形態は、座板４０が人の体重の重みを受ける時、内部品２０は、脚３０の外部品１０と更に緊密な挿結関係を得て、使用時間が長いほど、緊密度は高くなり、従来公知のスクリュー締結構造のように、締結部の緩みが生じることがない。
【００１６】
また、本考案の外部品１０と内部品２０の連結上、最も簡易的な嵌合方式を採用し、他の工具を一切必要とせず、迅速に、連結を完成させることが出来、且つ、非常に緊密な連結が得られ、外部品１０と内部品２０を取り外したい時は、互いの嵌合部を相反する方向に引きぬくようにすれば、容易に両者を離脱分解することが出来る。
【００１７】
つまり、本考案の挿入式家具用連結装置は、巧みな構造設計により、専用の工具を必要とせず、家具の被連結部材同士の連結を完成し、操作が便利で、且つ、連接する部品間は、安定した緊密度が得られ、従来の組み立て式家具のスクリュー締結構造の欠点を解決し、好ましい産業利用価値を達成する。  
【図面の簡単な説明】
【００１８】
【図１】本考案の挿入式家具用連結装置に係る実施例を示す外部品の構造を示した説明図である。
【図２】本考案の挿入式家具用連結装置に係る実施例を示す内部品の構造を示した説明図である。
【図３】本考案の挿入式家具用連結装置に係る実施例を示す内，外部品が嵌合連結された状態を示した説明図である。
【図４】本考案の挿入式家具用連結装置に係る使用状態を示した説明図である。
【図５】本考案の挿入式家具用連結装置に係る使用操作状態を示した説明図である。
【図６】本考案の挿入式家具用連結装置に係る使用状態における組み合わせを示した説明図である。
【符号の説明】
【００１９】
１０…外部品
１１…溝穴
１２…挿入口
１３…側面
１４…凸片
１５、１６…傾斜面
１７…孔
１８…栓孔
２０…内部品
２１…嵌入部
２２…頚部
２３、２４…側面
２５…孔
２６…栓孔
３０…脚（被連結部材）
３１…ボルト
４０…座板（被連結部材）
４１…ボルト    
【図１】
0003107195.tif 000003
【図２】
0003107195.tif 000004
【図３】
0003107195.tif 000005
【図４】
0003107195.tif 000006
【図５】
0003107195.tif 000007
【図６】
0003107195.tif 000008